(57)【要約】【課題】詰替えパウチからの詰め替え作業の作業性に優れ、なおかつ、液体を吐出させたときに、吐出された液体を手で受け取りやすい使用性の良好な液体用容器を提供する。【解決手段】液体吐出装置はボトル接合部とノズルヘッドとポンプ機構とを備え、容器本体の口部はボトル接合部に接合可能な形状を有し、口部の内径をa(mm)としたときにa≧24(mm)、容器本体の中心軸からノズルの先端までの水平方向距離をb(mm)中心軸からボトル接合部の外周部までの水平方向距離をc(mm)中心軸から容器本体の最も外側の外周部までの水平方向距離をｄ(mm)としたときに{c+14(mm)｝≦b≦d、中心軸からノズルが設けられている方向におけるヘッドの外周までの水平方向距離をe(mm)としたときにb≧e≧{c-5(mm)}ノズルヘッドを押し下げたときのヘッドの下面とボトル接合部の上面との間の距離をf(mm)としたときに6(mm)≦f≦15(mm)を満たす液体用容器とする。【選択図】図１
2007176572.tif 000002
【特許請求の範囲】
【請求項１】
液体を収容する容器本体と、前記容器本体に装着されて使用される液体吐出装置とを備える液体用容器であって、
前記液体吐出装置は、
前記容器本体の口部に着脱可能に装着されるボトル接合部と、
ノズルが設けられたヘッドが設けられ、上方に付勢された状態で上下方向に移動可能に支持されたノズルヘッドと、
前記ヘッドを押し下げることによって、前記容器本体に収容された液体を前記ノズルの先端から吐出させるポンプ機構とを備え、
前記容器本体の前記口部は、前記ボトル接合部に接合可能な形状を有し、かつ、前記口部の内径をａ（ｍｍ）としたときに、ａ≧２４（ｍｍ）を満たし、
前記容器本体の中心軸から前記ノズルの先端までの水平方向距離をｂ（ｍｍ）、前記中心軸から前記ボトル接合部の外周部までの水平方向距離をｃ（ｍｍ）、前記中心軸から最も外側の前記容器本体の外周部までの水平方向距離をｄ（ｍｍ）としたときに、｛ｃ＋１４（ｍｍ）｝≦ｂ≦ｄを満たし、
前記中心軸から前記ノズルが設けられている方向における前記ヘッドの外周までの水平方向距離をｅ（ｍｍ）としたときに、ｂ≧ｅ≧｛ｃ−５（ｍｍ）｝を満たし、
前記ノズルヘッドを押し下げたときの前記ヘッドの下面と前記ボトル接合部の上面との間の距離をｆ（ｍｍ）としたときに、６（ｍｍ）≦ｆ≦１５（ｍｍ）を満たすことを特徴とする液体用容器。
【請求項２】
前記中心軸から前記ノズルが設けられている方向と反対方向に向かう前記ヘッドの外周までの水平方向距離をｇ（ｍｍ）としたときに、０（ｍｍ）≦｛ｃ−ｇ｝≦６（ｍｍ）を満たすことを特徴とする請求項１に記載の液体用容器。
【請求項３】
手指の洗浄、あるいは手指の殺菌、消毒、除菌に用いられる液体製品であって、
請求項１または請求項２に記載の液体用容器に収容されていることを特徴とする液体製品。
【発明の詳細な説明】
【技術分野】
【０００１】
本発明は、液体を収容する容器本体と、容器本体に装着されて使用される液体吐出装置とを備える液体用容器およびこの液体用容器に収容されている液体製品に関し、特に、液体の詰め替え作業が容易で、吐出された液体を手で受け取りやすい使用性に優れた液体用容器に関する。
【背景技術】
【０００２】
シャンプーやボディソープ、ハンドソープ、洗剤等の液体を収容する容器として、プッシュ式のポンプディスペンサーなどの液体吐出装置を容器本体の口部に装着したボトル容器が知られている。液体吐出装置の装着されたボトル容器では、一般に、ヘッドが下方に押されると容器本体に収容された液体がノズルから吐出されるようになっている。
【０００３】
近年、液体吐出装置の装着されたボトル容器に収容して使用される液体製品では、省資源化ならびに低コスト化を図るため、詰め替え用パウチに入った詰め替え・補充用の液体製品が販売されている。
詰め替え用のパウチとしては、２枚の側壁フィルムと底壁フィルムとを重ね合わせ、その周縁部を熱溶着などで張り合わせることにより袋状の袋体を形成し、この袋体の上辺の一部や上端角部などに切り取り式の注ぎ口を一体形成したものが一般的である。
しかし、このような詰め替え用のパウチでは、内容液を液体吐出装置の装着される容器に注ぐときに、多くの時間が必要であったり液体がこぼれやすかったりするという問題があり、詰め替え作業の作業性を向上させることが要求されていた。
【０００４】
詰替え時に液体がこぼれる問題を解決するために、注出口を改善した詰め替えパウチがある。注出口を改善した詰め替えパウチとしては、突出した注出口を上端角部などに設けたものが広く知られている。また、詰め替えパウチの注出口に、補強機構を設けたり断面凸状をした液体導路を設けたりする技術が提案されている。
しかし、これらの注出口を改善した詰め替えパウチにおいては、液体がこぼれることを防止するために、ボトル状容器の口径に合わせて詰め替えパウチの注出口を細くする必要があり、詰替えに時間がかかる問題を充分に解決することはできなかった。
【０００５】
また、上記の問題を解決する手段として、ボトル容器の口径を拡大したポンプディスペンサー付容器が提案されている（例えば、特許文献１、特許文献２）。
特許文献１には、広口の口部に螺合する大径の螺合部を備えたポンプ手段がボトル状容器に取り付けられた液体容器や、広口の口部に螺合する大径の螺合部を備えたジョイントキャップを介してポンプ手段がボトル状容器に取り付けられた液体容器が記載されている。
また、特許文献２には、広口ボトルの口頸部に対して、これより小型の縦型ポンプを取り付け可能とする保持部材を設けた広口ボトル装着用縦型ポンプが開示されている。
特許文献１および特許文献２に記載の技術では、詰め替えパウチからボトルへの内容液の注ぎやすさが、従来のボトルに比べて改善されている。
【特許文献１】ＷＯ２００２／０３２７７７
【特許文献２】特開２００２−１５９８９１号公報
【発明の開示】
【発明が解決しようとする課題】
【０００６】
しかしながら、特許文献１や特許文献２に記載の技術では、ボトル口径の拡大に伴って、ポンプ手段が取り付けられるボトル接合部が大型化するため、ポンプ手段を用いて液体を吐出させた際の液体のとりやすさなどの使用性が低下する問題があった。特に、小容量のボトル容器においては、ボトル容器の大口径化によるポンプ接合部の拡大が、ボトル容器の使用性に及ぼす影響は顕著であり、使用性が低下することが問題となっている。
【０００７】
より具体的には、特許文献１に記載された広口の口部に螺合する大径の螺合部を備えたポンプ手段が取り付けられた液体容器では、ボトル状容器の口径に比べて、ポンプ手段のヘッド部が小さいため、ボトル状容器とポンプ手段との接合部の近くにノズル先端が位置する。このため、ポンプ手段を使用する時に、ボトル状容器とポンプ手段とを接合した保持部材の外周に、吐出させた液体をとる手が当たってしまい、使用しにくいという問題があった。
また、特許文献１に記載された広口の口部に螺合する大径の螺合部を備えたジョイントキャップを有する液体容器では、ノズルヘッドの直径が、ボトル状容器とポンプ手段との接合部の直径と等しくされている。通常のポンプディスペンサー付きボトルでは、ノズルの先端の水平方向の位置は、ボトルの外周の水平方向の位置よりも内側にある。ノズルの先端の水平方向の位置が、ボトルの外周の水平方向の位置よりも外側にあると、流通時にノズルの先端が接触して破損しやすくなるためである。したがって、ノズルヘッドの直径を、ボトル状容器とポンプ手段との接合部の直径と等しくすると、ノズルの長さを短くする必要が生じる。しかし、ノズルの長さが短い場合、ボトル状容器から吐出させた液体が手のひらの端に排出されることになるため、吐出された液体が手からこぼれやすくなる問題がある。特に、小容量のボトル状容器に大型のノズルヘッドを採用した場合には、相対的にノズルが短くなるので、上記の問題は顕著になる。
【０００８】
また、特許文献２に記載された技術では、ポンプを押し下げた状態とした場合に、保持部材がノズル先端の近傍に位置する。このため、特許文献２に記載された技術では、ポンプを押し下げて液体を吐出させる時に、吐出された液体を受け取る手が保持部材の外周にぶつかって、吐出された液体が手のひらの端に排出されることになるため、吐出された液体が手からこぼれやすく使いにくいという問題があった。
【０００９】
以上のように、従来よりボトル容器の口径を拡大した容器が知られているが、詰め替えパウチからの詰め替え作業の作業性に優れ、かつ、内容液を吐出させるときの使用性に優れた液体用容器は、未だ提案されていなかった。
本発明は、上記の点に鑑みてなされたものであり、詰替えパウチからの詰め替え作業の作業性に優れ、なおかつ、液体を吐出させたときに、吐出された液体を手で受け取りやすい使用性の良好な液体用容器を提供することを目的とする。
【課題を解決するための手段】
【００１０】
上記課題を解決するために、本発明の液体用容器は以下の構成を採用した。
すなわち、本発明の液体用容器は、液体を収容する容器本体と、前記容器本体に装着されて使用される液体吐出装置とを備える液体用容器であって、前記液体吐出装置は、前記容器本体の口部に着脱可能に装着されるボトル接合部と、ノズルが設けられたヘッドが設けられ、上方に付勢された状態で上下方向に移動可能に支持されたノズルヘッドと、前記ヘッドを押し下げることによって、前記容器本体に収容された液体を前記ノズルの先端から吐出させるポンプ機構とを備え、前記容器本体の前記口部は、前記ボトル接合部に接合可能な形状を有し、かつ、前記口部の内径をａ（ｍｍ）としたときに、ａ≧２４（ｍｍ）を満たし、前記容器本体の中心軸から前記ノズルの先端までの水平方向距離をｂ（ｍｍ）、前記中心軸から前記ボトル接合部の外周部までの水平方向距離をｃ（ｍｍ）、前記中心軸から最も外側の前記容器本体の外周部までの水平方向距離をｄ（ｍｍ）としたときに、｛ｃ＋１４（ｍｍ）｝≦ｂ≦ｄを満たし、前記中心軸から前記ノズルが設けられている方向における前記ヘッドの外周までの水平方向距離をｅ（ｍｍ）としたときに、ｂ≧ｅ≧｛ｃ−５（ｍｍ）｝を満たし、前記ノズルヘッドを押し下げたときの前記ヘッドの下面と前記ボトル接合部の上面との間の距離をｆ（ｍｍ）としたときに、６（ｍｍ）≦ｆ≦１５（ｍｍ）を満たすことを特徴とする。
【００１１】
また、本発明の液体用容器においては、前記中心軸から前記ノズルが設けられている方向と反対方向に向かう前記ヘッドの外周までの水平方向距離をｇ（ｍｍ）としたときに、０（ｍｍ）≦ｃ−ｇ≦６（ｍｍ）を満たすものとすることができる。
また、本発明の液体製品は、手指の洗浄、あるいは手指の殺菌、消毒、除菌に用いられる液体製品であって、請求項１または請求項２に記載の液体用容器に収容されていることを特徴とする。
【発明の効果】
【００１２】
本発明によれば、詰め替えパウチ内の液体を注ぎやすく、詰め替え作業の作業性に優れ、なおかつ、内容液を吐出させる際に押しやすく、吐出された液体を手で受け取りやすい使用性に優れる液体用容器を提供できる。
【発明を実施するための最良の形態】
【００１３】
以下、本発明について更に詳しく説明する。
図１は、本発明の液体用容器の一例を示した図であって、図１（ａ）は平面図であり、図１（ｂ）および図１（ｃ）は側面図である。また、図１（ｂ）は、ノズルヘッドを押し下げたときの状態を示した図であり、図１（ｃ）は、ノズルヘッドを押し下げていないときの状態を示した図である。
図１に示す液体用容器は、シャンプー、ボディソープ、ハンドソープ、食器用洗剤、衣料用洗剤、化粧水、乳液などの、あらゆる液体を収容する容器として使用することができるものであり、特に容器内の液体を手の上に取り出して使用する液体製品用の容器として好適に使用されるものである。
【００１４】
図１に示す液体用容器１０は、液体を収容する容器本体１と、容器本体１に装着されて使用される液体吐出装置２とを備えるものである。
液体用容器１０は、任意の高さとすることができるが、手に持って使用できる程度の大きさとする場合には、液体用容器１０の高さは８０ｍｍ〜２００ｍｍの範囲とすることが望ましい。
【００１５】
容器本体１は、液体吐出装置２のボトル接合部２１に接合可能な形状を有する口部１２が設けられたものである。容器本体１の口部１２は、内径をａ（ｍｍ）としたときに、ａ≧２４（ｍｍ）を満たすものであり、液体吐出装置２のボトル接合部２１に接合可能な形状を有していれば、内径ａ（ｍｍ）が大きいほど好ましい。
本実施形態においては、容器本体１の口部１２の内径ａが２４ｍｍを越えるので、長方形の袋体からなるものや、長方形の袋体の上端角部に突出した注ぎ口が形成されたものなど、あらゆる形状の詰替えパウチから容器本体１への詰め替え作業の便益が得られる。特に、一般的な大きさの突出した注ぎ口を有する詰替えパウチから容器本体１への詰め替え作業を行なう場合には、詰替えパウチの注ぎ口を、容器本体１の口部１２に差し込むことができるようになるため、詰替えパウチ内の液体の注ぎやすさが大きく改善する。
【００１６】
しかし、容器本体１の口部１２の内径ａを２４ｍｍ未満とした場合、突出した注ぎ口を有するパウチの注ぎ口を、容器本体１の口部１２に差し込むことが困難になり、詰め替えパウチからの内容液の注ぎやすさが改善しない。例えば、口部１２の内径ａを２４ｍｍ未満とした場合には、容器本体１の口部１２の内径ａに合わせて小さい注ぎ口を有する詰替えパウチを作成することが考えられる。しかし、一般に、詰替えパウチでは、接着部の幅を狭くすることが困難であるので、注ぎ口を小さくするためには、注ぎ口における液体の通路部分を狭くすることになり、液体を排出するのに長時間を要するものとなってしまうという問題が生じる。
【００１７】
また、容器本体１の幅Ｄ１は、手に持って使用する場合に使いやすいものとするため、３５ｍｍ〜１００ｍｍの範囲とすることが望ましい。また、容器本体１の平面形状は、図１（ａ）に示すように、楕円形状とすることができるが、いかなる形状であってもよく、例えば、円形状や長円形状としてもよい。なお、容器本体１の平面形状が楕円形状や長円形状である場合、容器本体１の幅Ｄ１と厚さＤ２との比を１．０〜１．７の範囲とし、容器本体１の周長を１１３ｍｍ〜２８０ｍｍの範囲にすることで、握りやすく、手に持って使用する場合に使いやすい液体吐出装置２となる。
また、容器本体１の容量は、任意に選ぶことができるが、手に持って使用できる程度の大きさとする場合には、２００ｍＬから３５０ｍＬの容量とすることが好ましい。
【００１８】
液体吐出装置２は、ボトル接合部２１と、ノズルヘッド２２と、ポンプ機構２５とを備えている。
ボトル接合部２１は、容器本体１の口部１２と螺合されることにより着脱可能に接合されるものである。
また、ノズルヘッド２２は、ノズル２３が設けられたヘッド２４を備えたものであり、図１（ｃ）に示すように、上方に付勢された状態で上下方向に移動可能に支持されている。
ポンプ機構２５は、図１（ｂ）に示すように、上方に付勢された付勢力に抗してノズルヘッド２２を押し下げることによって、容器本体１に収容された液体を圧送してノズル２３の先端から吐出させるものである。
【００１９】
また、液体吐出装置２は、図１に示すように、容器本体１の中心軸１１からノズル２３の先端までの水平方向距離をｂ（ｍｍ）、中心軸１１からボトル接合部２１の外周部までの水平方向距離をｃ（ｍｍ）、中心軸１１から最も外側の容器本体１の外周部までの水平方向距離をｄ（ｍｍ）としたときに、｛ｃ＋１４（ｍｍ）｝≦ｂ≦ｄを満たすものである。このため、図１に示す液体用容器１０は、吐出された液体が手からこぼれにくく優れた使用性が得られ、しかも、流通時に破損が生じにくいものとなる。
【００２０】
中心軸１１からノズル２３の先端までの水平方向距離ｂが、中心軸１１からボトル接合部２１の外周部までの水平方向距離ｃから１４ｍｍ増した長さより短い場合、ノズルヘッド２２を押し下げてノズル２３から液体を吐出させたときに、吐出させた液体を受け取る手がボトル接合部２１に邪魔されてしまうため、吐出させた液体が手の端に受け取られることになる。したがって、吐出された液体が手からこぼれやすくなり、使用性が低下する。
なお、中心軸１１からボトル接合部２１の外周部までの水平方向距離ｃによって、上述した容器本体１に設けられた口部１２の内径ａの最大値が決定する。
また、中心軸１１からノズル２３の先端までの水平方向距離ｂが、中心軸１１から最も外側の容器本体１の外周部までの水平方向距離をｄよりも長い場合、ノズル２３の先端が流通時に破損しやすいものとなる。  
【００２１】
また、液体吐出装置２は、容器本体１の中心軸１１からノズルが設けられている方向におけるヘッド２４の外周までの水平方向距離をｅ（ｍｍ）としたときに、ｂ≧ｅ≧｛ｃ−５（ｍｍ）｝を満たすものである。このため、図１に示す液体用容器１０は、押しやすく、使用性に優れたものとなる。
中心軸１１からノズルが設けられている方向におけるヘッド２４の外周までの水平方向距離ｅが、中心軸１１からノズル２３の先端までの水平方向距離ｂを越える場合、液体の吐出口であるノズル２３の先端がヘッド２４に覆われてしまうため、液体を吐出させる際に液体の吐出される位置が確認しづらく、吐出された液体が受け取りにくいものとなる。
【００２２】
また、中心軸１１からノズルが設けられている方向におけるヘッド２４の外周までの水平方向距離ｅが、中心軸１１からボトル接合部２１の外周部までの水平方向距離ｃから５ｍｍ減じた長さより短い場合、ヘッド２４が小さく押しにくいものとなり、液体を吐出させる際の使用性が低下する恐れが生じる。
また、上述した距離ｅが、上述した距離ｃから５ｍｍ減じた長さより短い場合、ヘッド２４の先端がボトル接合部２１の外周部に近くなり、ボトル接合部２１が邪魔になって、液体を吐出させる際の使用性が低下する恐れが生じる。具体的には、例えば、図２に示すように、手のひらを上に向けた状態を保ちつつ親指でヘッド２４を押し、ヘッド２４を押した手と同じ手のひらにノズル２３から吐出される液体を受け取る使用方法で、液体用容器１０内の液体を取り出す場合に、人指し指がボトル接合部２１に当たって、親指がヘッド２４に届きにくくなる場合がある。特に手の小さな女性や子供において、この問題は顕著となる。
【００２３】
また、本実施形態の液体吐出装置２は、図１（ｂ）に示すように、ヘッド２４を押し下げたときのヘッド２４の下面とボトル接合部２１の上面との間の距離をｆ（ｍｍ）としたときに、６（ｍｍ）≦ｆ≦１５（ｍｍ）を満たすものである。
従来、大口径ボトルを採用した容器は、口径の大型化と同時にポンプ接合部の外径が拡大するので、液体を受け取る手がボトル接合部２１に当たってしまう問題があった。
これに対し、本実施形態の液体吐出装置２は、ヘッド２４を押し下げたときのヘッド２４の下面とボトル接合部２１の上面との間に、６ｍｍ〜１５ｍｍの空間が存在するので、ボトル接合部２１に邪魔されることなく、液体を受け取る手を、ボトル接合部２１の外周部の水平方向の位置よりも中心軸１１に近い位置に配置することができるようになる。このため、ヘッド２４から吐出させた液体が手のひらの端に吐出されて、液体が手からこぼれる不都合を防止でき、吐出された液体を手で受け取りやすい使用性に優れたものとなる。
【００２４】
ヘッド２４を押し下げたときのヘッド２４の下面とボトル接合部２１の上面との間の距離ｆが６ｍｍ未満であると、液体を受け取る手を、ボトル接合部２１の外周部の水平方向位置よりも中心軸１１に近い位置に配置しにくくなるため好ましくない。
また、上述した距離ｆが１５ｍｍを超える場合、液体用容器１０が不安定となるので、液体用容器１０がぐらついてヘッド２４が押し下げにくくなり、使用性が低下する恐れがある。また、上述した距離ｆが１５ｍｍを超える場合、ヘッド２４を押し下げるときにノズルヘッド２２が破損する危険性が高くなる。
また、上述した距離ｆが１５ｍｍを超えると、例えば、図３に示すように、液体用容器１０を片手に持ち、同じ手の人差し指でヘッド２４を押してノズル２３から液体を吐出させ、液体用容器１０を持った人とは他の人の手で液体を受け取る使用方法で液体用容器１０内の液体を取り出す場合に、人差し指がヘッド２４に届きにくくなる恐れが生じる。特に手の小さな女性や子供において、この問題は顕著となる。
【００２５】
また、本実施形態の液体吐出装置２は、容器本体１の中心軸１１からノズル２３が設けられている方向と反対方向に向かうヘッド２４の外周までの水平方向距離をｇ（ｍｍ）としたときに、０（ｍｍ）≦｛ｃ−ｇ｝≦６（ｍｍ）を満たすものである。このため、図１に示す液体用容器１０は、ヘッド２４が押しやすく、使いやすいものとなる。特に、上述した図３に示す使用方法で液体用容器１０内の液体を取り出す場合に、使用性が良好になる。また、手の小さな女性や子供においても使用しやすいものとなる。
【００２６】
容器本体１の中心軸１１からノズル２３が設けられている方向と反対方向に向かうヘッド２４の外周までの水平方向距離ｇが、中心軸１１からボトル接合部２１の外周部までの水平方向距離ｃを超えると、例えば、上述した図３に示す使用方法で液体用容器１０内の液体を取り出す場合に、ヘッド２４の外周が人差し指の第一関節付近に当たって、ヘッド２４が押しにくく使いづらくなるため好ましくない。
また、上記距離ｇと上記距離ｃとの差（ｃ−ｇ）が６ｍｍより大きい場合、例えば、上述した図３に示す使用方法で液体用容器１０内の液体を取り出す場合に、ヘッド２４に人指し指が充分に届かず、ヘッド２４が押しにくくなる恐れが生じる。
【００２７】
図１に示す液体用容器内の液体を取り出す方法としては、例えば、図２に示すように、手のひらを上に向けた状態を保ちつつ親指でヘッド２４を押し、ヘッド２４を押した手と同じ手のひらにノズル２３から吐出される液体を受け取る使用方法が挙げられる。図２に示す方法は、液体用容器に収容されている液体がハンドソープであり、調理の途中などで手早く手指を洗浄する必要性がある場合にしばしば行われている。
また、図１に示す液体用容器内の液体を取り出す方法としては、図３に示すように、容器を片手に持ち、同じ手の人差し指でヘッド２４を押してノズル２３から液体を吐出させ、容器を持った人とは他の人の手で液体を受け取る使用方法が挙げられる。図３に示す方法は、例えば、子供が手を洗うときに、大人がヘッド２４を押して、子供の手のひらに液体を出す場面などに想定される方法である。
また、図１に示す液体用容器内の液体を取り出す方法としては、図４に示すように、一方の手でヘッド２４を押して、他方の手のひらでノズル２３から吐出された液体を受け取る使用方法が挙げられる。
【００２８】
図１に示す液体用容器１０によれば、上述した図２〜図４に示すいずれの使用方法においても、使用性が良好なものとなる。特に、図１に示す液体用容器１０は、図３や図４に示す使用方法における使用性が良好なものであり、使用時に手指が汚れている場合や、大人がヘッド２４を押して子供の手のひらに液体を取り出す場合などにも優れた使用性が得られる。したがって、図１に示す液体用容器１０は、手指の洗浄、あるいは手指の殺菌、消毒、除菌の目的で使用される液体を収容する液体用容器として非常に好適である。
【００２９】
以下に本発明の液体用容器に収容して好適に使用できる液体の処方例を示す。
「処方例１」ハンドソープ
ラウリン酸カリウム                                             ６％
ミリスチン酸カリウム                                           ４％
ＮラウロイルＮメチルβアラニンカリウム                         １％
グリセリン                                                     ５％
プロピレングリコール                                           ６％
ソルビトール                                                   ３％
ラウリルジメチルアミンオキサイド                               １％
メタクリル酸アルキル重合体エマルション
（レオアールＭＳ−２００、ライオン化学(株)）"                  ５％
ヒドロキシエタンジホスホン酸                                   ０．１％
エデト酸四ナトリウム四水塩                                     ０．２％
トリクロサン                                                   ０．１％
イソプロピルメチルフェノール                                   ０．１％
水酸化カリウム                                                 ｐＨ１０に調整
香料                                                           １％
精製水                                                         残部
計                                                             １００．０％
【００３０】
「処方例２」外用殺菌消毒剤
エタノール                                                     ８０％
イソプロパノール                                               ４％
グルコン酸クロルヘキシジン                                     ０・２％         
精製水                                                         残部
計                                                             １００．０％
【００３１】
「処方例３」ボディソープ
ラウリン酸カリウム                                             ６％
ミリスチン酸カリウム                                           １２％
ＮラウロイルＮメチルβアラニンカリウム                         ２％
ヤシ油脂肪酸ジエタノールアミド                                 ３％
ラウリルジメチルアミンオキサイド                               １％
ラウリルジメチルアミノ酢酸ベタイン                             １％
プロピレングリコール                                           １０％
ヒドロキシプロピルメチルセルロース
（メトロースＨＰＭＣ６０ＳＨ−４０００、信越化学工業（株））   ０．８％
ジステアリン酸エチレングリコール                               １％
塩化０−［２−ヒドロキシ−３−（トリメチルアンモニウム）
プロピル］ヒドロキシエチルセルロース
（レオガードＧＰ、ライオン化学（株））                       ０．１％
ポリスチレン重合体エマルジョン
（サイビノールＰＥ−３、サイデン化学（株））                 １％
エデト酸四ナトリウム四水塩                                     ０．１％
香料                                                           １％
青色１号                                                       ０．００１％
黄色４号                                                       ０．００３％
水酸化カリウム                                                 ｐＨ１０に調整
精製水                                                         残部
計                                                             １００．０％
【００３２】
「処方例４」シャンプー
ＰＯＥ（３）ラウリルエーテル硫酸ナトリウム                     １５％
α−オレフィンスルホン酸ナトリウム                             ５％
ラウリン酸アミドプロピルベタイン  ５％
ラウリルジメチルアミンオキシド    ２％
ＰＯＥ（２０）硬化ヒマシ油        4％
ラウリン酸ジエタノールアミド      ５％
ジステアリン酸エチレングリコール  ２％
ポリジメチルシロキサン            ３％
塩化０−［２−ヒドロキシ−３−（トリメチルアンモニウム）
プロピル］ヒドロキシエチルセルロース
（レオガードＧＰ、ライオン化学（株））                         ０．５％
ピロクトン  オラミン              ０．５％
塩化ベンザルコニウム              ０．１％
エタノール                        １％
ヘキシレングリコール              ５％
硫酸ナトリウム                    ２％
安息香酸ナトリウム                １％
パラベン                          ０．２％
メチルイソチアゾリノン・メチルクロロイソチアゾリンオン         ０．０１％
青色４０３号                      ０．００２％
香料                              ０．５％
クエン酸                          ０．５％
精製水                            残部
計                                                             １００．０％
【００３３】
本実施形態においては、本発明の液体用容器の一例として、図１に示す液体用容器１０を例に挙げて説明したが、本発明の液体用容器は、図１に示す例に限定されるものではなく、例えば、図５および図６に示す液体用容器とすることができる。
図５および図６に示す液体用容器が図１に示す液体用容器１０と異なるところは、容器本体１の中心軸１１からノズルが設けられている方向におけるヘッド２４の外周までの水平方向距離のみであるので、異なる部分のみ説明し、その他の説明を省略する。
【００３４】
図５に示す液体用容器では、中心軸１１からノズルが設けられている方向におけるヘッド２４の外周までの水平方向距離ｅ１は、中心軸１１からボトル接合部２１の外周部までの水平方向距離ｃより長くなっている。このため、図５に示す液体用容器では、図１に示す液体用容器１０と比較して、上述した図２に示す使用方法で液体用容器内の液体を取り出す場合に親指でヘッド２４を押しやすいものとなる。
【００３５】
図６に示す液体用容器では、中心軸１１からノズルが設けられている方向におけるヘッド２４の外周までの水平方向距離ｅ２は、中心軸１１からノズル２３の先端までの水平方向距離ｂと同じ長さとなっている。このため、図６に示す液体用容器では、図１に示す液体用容器１０や図５に示す液体用容器と比較して、上述した図２に示す使用方法で液体用容器内の液体を取り出す場合にヘッド２４が非常に押しやすいものとなる。
【００３６】
以下、実施例及び比較例を挙げて、本発明をより具体的に説明する。なお、本発明は、これらの実施例に限定されるものではない。
【００３７】
「実施例１〜実施例６、比較例１〜比較例５」
下記表１及び表２に示す寸法の実施例１〜実施例６、比較例１〜比較例５の液体用容器に、液体が収容された詰替えパウチから液体を注ぎ、以下に示すように注ぎやすさを評価した。
なお、液体が収容された詰替えパウチとして以下に示すものを用いた。
【００３８】
【表１】
2007176572.tif 000003
【００３９】
【表２】
2007176572.tif 000004
【００４０】
なお、表１および表２に示す寸法において、（ａ）（ｂ）（ｃ）（ｄ）（ｅ）（ｆ）（ｇ）は、以下に示す部分の寸法を意味する。
（ａ）容器本体の口部の内径
（ｂ）容器本体の中心軸からノズルの先端までの水平方向距離
（ｃ）中心軸からボトル接合部の外周部までの水平方向距離
（ｄ）中心軸から容器本体の最も外側の外周部までの水平方向距離
（ｅ）中心軸からノズルが設けられている方向におけるヘッドの外周までの水平方向距離
（ｆ）ノズルヘッドを押し下げたときのヘッドの下面とボトル接合部の上面との間の距離
（ｇ）中心軸からノズルが設けられている方向と反対方向に向かうヘッドの外周までの水平方向距離
また、表１および表２おいて、実施例１〜実施例６、比較例１〜比較例５の液体用容器が表１および表２に示す寸法条件に適合であるか不適合であるかを示した。
【００４１】
（液体が収容された詰替えパウチ）
Ａ：キレイキレイ薬用ハンドソープ（ライオン（株））
角に突出した注出口のあるパウチ、内容量２００ｍＬ
Ｂ：液体ミューズ（Ｐ＆Ｇ）
長方形で角に注出口のあるパウチ、内容量２００ｍＬ
【００４２】
（注ぎやすさの評価）
○問題はない（不具合を感じない）
△やや不具合を感じる
×不具合を感じる（こぼした、こぼしそうになった）
【００４３】
また、実施例１〜実施例６、比較例１〜比較例５の液体用容器に、液体としてキレイキレイ薬用ハンドソープ（ライオン（株））（粘度２００ｍＰａ・ｓ）を収容し、以下に示す使用方法での使用性の評価を行なった。
（使用性の評価）
「使用方法」
（１）図４に示すように、右手でヘッドを押して、左手のひらでノズルから吐出された液体を受け取る。
（２）図２に示すように、右手のひらを上に向けた状態を保ちつつ親指でヘッドを押し、右手のひら、人差し指、中指にノズルから吐出される液体を受け取る。
（３）図３に示すように、容器を右手に持ち、右手の人差し指でヘッドを押してノズルから液体を吐出させ、容器を持った人とは他の人の手で液体を受け取る。
【００４４】
「ポンプの押しやすさ」
◎非常に良い
○問題ない
△やや不具合を感じる
×不具合を感じる
「液のとりやすさ」
◎非常に良い
○問題ない
△やや不具合を感じる
×不具合を感じる
【００４５】
表１および表２に示すように、本発明の液体用容器である実施例１〜実施例６では、注ぎやすさの評価と（１）および（２）の使用方法における使用性の評価の全てが◎または○となり、詰め替えパウチからの注ぎやすさに優れ、なおかつ（１）および（２）の使用方法における使用性に優れていることが確認できた。
また、「０（ｍｍ）≦ｃ−ｇ≦６（ｍｍ）」を満たす本発明の液体用容器である実施例１〜実施例４では、全ての評価が◎または○となり、「０（ｍｍ）≦ｃ−ｇ≦６（ｍｍ）」を満たさない実施例５〜実施例６と比較して（３）の使用方法における使用性が優れていることが確認できた。
また、表１および表２に示すように、比較例１〜比較例５では、注ぎやすさの評価または（１）〜（２）の使用方法における使用性の評価のいずれかに△または×が含まれる結果となった。
【図面の簡単な説明】
【００４６】
【図１】図１は、本発明の液体用容器の一例を示した図である。
【図２】図２は、図１に示す液体用容器内の液体を取り出す方法の一例を説明するための写真である。
【図３】図３は、図１に示す液体用容器内の液体を取り出す方法の他の例を説明するための写真である。
【図４】図４は、図１に示す液体用容器内の液体を取り出す方法の他の例を説明するための写真である。
【図５】図５は、本発明の液体用容器の他の例を示した図である。
【図６】図６は、本発明の液体用容器の他の例を示した図である。
【符号の説明】
【００４７】
１…容器本体、２…液体吐出装置、１０…液体用容器、１２…口部、２１…ボトル接合部、２２…ノズルヘッド、２３…ノズル、２４…ヘッド、２５…ポンプ機構。
【図１】
2007176572.tif 000005
【図２】
2007176572.tif 000006
【図３】
2007176572.tif 000007
【図４】
2007176572.tif 000008
【図５】
2007176572.tif 000009
【図６】
2007176572.tif 000010